【手続補正書】
【提出日】平成26年8月12日(2014.8.12)
【手続補正１】
【補正対象書類名】特許請求の範囲
【補正対象項目名】全文
【補正方法】変更
【補正の内容】
【特許請求の範囲】
【請求項１】
延伸された位置と格納された位置との間で作動可能である、格納可能な整列ピンを有するフェルールを備える光通信コネクタであって、
前記延伸された位置では、前記整列ピンは、前記フェルールの前面から第１の変位だけ延伸され、その結果、当該コネクタがオスのジェンダー構成にあることをもたらし、
前記格納された位置では、前記整列ピンは、前記第１の変位よりも大きいまたは前記第１の変位に等しい距離で前記フェルールにおける整列ピン空洞に格納され、その結果、当該コネクタがメスのジェンダー構成にあることをもたらす、光通信コネクタ。
【請求項２】
前記延伸された位置と前記格納された位置との間における前記整列ピンの作動は、前記整列ピンに機械的に結合されるピンクランプを用いて果たされる、請求項１に記載の光通信コネクタ。
【請求項３】
前記ピンクランプは、前記整列ピンに固定して取り付けられる、請求項２に記載の光通信コネクタ。
【請求項４】
前記ピンクランプは機械的リンク機構を通して前記整列ピンに結合されており、前記ピンクランプが変位されると、前記機械的リンク機構は前記整列ピンを前記ピンクランプの変位よりもより大きな変位によって移動させる、請求項２に記載の光通信コネクタ。
【請求項５】
前記ピンクランプは、前記延伸された位置と前記格納された位置との間の前記整列ピンの作動をもたらすために、工具によって係合され得る少なくとも１つの特徴を含む、請求項２に記載の光通信コネクタ。
【請求項６】
前記ピンクランプは少なくとも１つのタブを含み、前記少なくとも１つの特徴は、前記タブ上に位置する少なくとも１つの孔を備える、請求項５に記載の光通信コネクタ。
【請求項７】
前記ピンクランプは、ユーザによる手動係合のための柱部を備える少なくとも１つのタブを含む、請求項２に記載の光通信コネクタ。
【請求項８】
少なくとも１つの停止面を有する少なくとも１つのスペーサを更に備え、前記ピンクランプは、前記延伸された位置と前記格納された位置とにそれぞれ対応する第１の位置と第２の位置との間で摺動可能であり、前記第１の位置および第２の位置は、前記少なくとも１つのスペーサ上の前記少なくとも１つの停止面によって規定される、請求項２に記載の光通信コネクタ。
【請求項９】
停止面を有する少なくとも１つのスペーサを更に備え、前記ピンクランプは、曲げられる際に、前記ピンクランプが前記停止面の下方へ移動することを可能にするタブを備える、請求項２に記載の光通信コネクタ。
【請求項１０】
前記ピンクランプは、２つのピンクランプを備え、各ピンクランプは少なくとも１つのタブを備え、該タブは前記ピンクランプが当該コネクタ上に位置するスペーサ上の停止面の下方へ移動することを可能にするように曲げられることができる、請求項２に記載の光通信コネクタ。
【請求項１１】
当該コネクタの極性を変更するために変えられることができる構成を有する極性キーを更に備える、請求項１に記載の光通信コネクタ。
【請求項１２】
前記極性キーの前記構成は、当該コネクタに対して前記極性キーを回転することによって変えられる、請求項１１に記載の光通信コネクタ。
【請求項１３】
前記極性キーは当該コネクタの外側筺体上に位置し、前記外側筺体は、前記極性の変更をもたらすために当該コネクタの軸長周りに回転されることができる、請求項１１に記載の光通信コネクタ。
【請求項１４】
前記極性キーは、極性キータブと、前記外側筺体上に前記極性キータブの１８０度反対側のブランクタブと、を含み、前記極性キータブおよび前記ブランクタブは、当該コネクタ上の特徴と機械的にインターフェースをとり、前記軸長に対する前記筺体の回転は、前記極性の変更をもたらす、請求項１３に記載の光通信コネクタ。
【請求項１５】
当該コネクタはＭＰＯコネクタである、請求項１に記載の光通信コネクタ。
【請求項１６】
光通信コネクタであって、
内側筺体アセンブリ内に配置された光ファイバを有する当該内側筺体アセンブリと、
前記光ファイバおよび整列ピンが通過するフェルールと、
前記内側筺体アセンブリを覆って配置され、前記内側筺体アセンブリから取り外し可能であるように形作られた外側筺体と、を備え、
前記内側筺体アセンブリは、当該コネクタを別のコネクタと整列させるための整列ピンに機械的に結合される可動ピンクランプを含み、前記ピンクランプは、第１の位置から第２の位置に摺動されることができ、前記第１の位置はオスのジェンダーに対応し、前記第２の位置はメスのジェンダーに対応し、
前記第１の位置では、前記整列ピンは、前記フェルールの前面に直交するｚ軸に沿って第１の変位だけ延伸され、
前記第２の位置では、前記整列ピンは、前記フェルールの前記前面に直交する前記ｚ軸回りに沿う前記第１の変位よりも大きいまたは前記第１の変位に等しい距離で、前記フェルールにおける整列ピン空洞に格納される、光通信コネクタ。
【請求項１７】
前記ピンクランプは、前記整列ピンに固定して取り付けられる、請求項１６に記載の光通信コネクタ。
【請求項１８】
前記ピンクランプは機械的リンク機構を通して前記整列ピンに結合されており、前記ピンクランプが変位されると、前記機械的リンク機構は前記整列ピンを前記ピンクランプの変位よりも大きな変位によって移動させる、請求項１６に記載の光通信コネクタ。
【請求項１９】
前記ピンクランプは、前記第１の位置と前記第２の位置との間の前記整列ピンの作動をもたらすために、工具によって係合され得る少なくとも１つの特徴を含む、請求項１６に記載の光通信コネクタ。
【請求項２０】
前記内側筺体アセンブリは、前記第１の位置と前記第２の位置との間の長さに前記ピンクランプの動きを制限するための少なくとも２つの停止面を備える、請求項１６に記載の光通信コネクタ。
【請求項２１】
前記少なくとも２つの停止面は、前記内側筺体アセンブリ上の１つ以上のスペーサ上に位置する、請求項２０に記載の光通信コネクタ。
【請求項２２】
前記ピンクランプは、曲げられる際に、前記ピンクランプが前記少なくとも２つの停止面のうちの１つを過ぎて移動することを可能にするタブを備える、請求項２０に記載の光通信コネクタ。
【請求項２３】
前記内側筺体アセンブリは、前記第１の位置および前記第２の位置によって拘束された長さに前記ピンクランプの摺動を抑制するための停止面を有する複数のスペーサを備える、請求項１６に記載の光通信コネクタ。
【請求項２４】
前記ピンクランプは、前記外側筺体が取り外されるときのみに摺動されるように設計される、請求項１６に記載の光通信コネクタ。
【請求項２５】
前記ピンクランプは、前記内側筺体アセンブリの反対側に位置する２つのピンクランプを備え、各ピンクランプは少なくとも１つのタブを備え、該タブは前記ピンクランプが前記内側筺体アセンブリ上に位置するスペーサ上の停止面の下方に移動することを可能にするために曲げられることができる、請求項１６に記載の光通信コネクタ。
【請求項２６】
前記外側筺体は、どのように前記外側筺体が設置されるかに基づいて、当該コネクタの極性が規定されるように構成された極性キーを備える、請求項１６に記載の光通信コネクタ。
【請求項２７】
前記外側筺体は、極性キータブと、前記極性キータブの反対に位置するブランクタブとを備え、前記極性キータブは、当該コネクタの極性を規定するために当該極性キータブ上に形成された極性キーを有し、前記極性キータブおよび前記ブランクタブは、前記内側筺体アセンブリの反対側に位置するそれぞれの第１および第２の凹んだ特徴に嵌合するように形作られ、前記極性キータブが前記第２の凹んだ特徴に嵌合するようにかつ前記ブランクキータブが前記第１の凹んだ特徴に嵌合するように、当該コネクタの前記極性は、前記ｚ軸周りに前記外側筺体を回転することによって変更されることができる、請求項１６に記載の光通信コネクタ。
【請求項２８】
前記第１および第２の凹んだ特徴は、前記外側筺体が前記内側筺体アセンブリ上に設置される際に、前記外側筺体の前記極性キータブおよび前記ブランクタブが前記ｚ軸沿いにガイド部に沿って摺動され得る、当該ガイド部を含む、請求項２７に記載の光通信コネクタ。
【請求項２９】
前記極性キータブおよび前記ブランクタブは、当該極性キータブおよび当該ブランクタブの中心から外側に広がる平面突出部をそれぞれ有し、前記内側筺体アセンブリの前記凹んだ特徴は突出部保持部をそれぞれ有する、請求項２８に記載の光通信コネクタ。
【請求項３０】
前記外側筺体を前記内側筺体アセンブリに固定するための掛止め機構を更に備える、請求項２８に記載の光通信コネクタ。
【請求項３１】
当該コネクタはＭＰＯコネクタである、請求項１６に記載の光通信コネクタ。
【請求項３２】
通信コネクタであって、
光ファイバがフェルール内に配置された当該フェルールを有する内側筺体アセンブリと、
前記内側筺体アセンブリを覆って摺動するように形作られた外側筺体と、を備え、
前記外側筺体は、当該外側筺体上に配置された極性キーを有し、前記外側筺体は、前記極性キーが第１の位置から第２の位置に回転されることをもたらすために、前記フェルールの前面に直交する軸に沿って１８０度回転されることができ、前記第１の位置は第１の極性に対応し、前記第２の位置は第２の極性に対応し、前記内側筺体アセンブリは、前記外側筺体が前記内側筺体アセンブリを覆って摺動されると、前記極性キーを受け入れるようにそれぞれ形作られた、少なくとも２つの凹んだ特徴を有する、光通信コネクタ。
【請求項３３】
延伸された位置と格納された位置との間で作動可能である、格納可能な整列ピンを有するフェルールを備えた光通信コネクタであって、
前記延伸された位置と前記角のされた位置との間における前記整列ピンの作動は、前記整列ピンに機械的に結合されるピンクランプを用いて果たされ、
前記ピンクランプは機械的リンク機構を通して前記整列ピンに結合されており、前記ピンクランプが変位されると、前記機械的リンク機構は前記整列ピンを前記ピンクランプの変位よりもより大きな変位によって移動させる、光通信コネクタ。
【請求項３４】
前記ピンクランプは、前記延伸された位置と前記格納された位置との間の前記整列ピンの作動をもたらすために、工具によって係合され得る少なくとも１つの特徴を含む、請求項３３に記載の光通信コネクタ。
【請求項３５】
前記ピンクランプは少なくとも１つのタブを含み、前記少なくとも１つの特徴は、前記タブ上に位置する少なくとも１つの孔を備える、請求項３４に記載の光通信コネクタ。
【請求項３６】
前記ピンクランプは、ユーザによる手動係合のための柱部を備える少なくとも１つのタブを含む、請求項３３に記載の光通信コネクタ。
【請求項３７】
少なくとも１つの停止面を有する少なくとも１つのスペーサを更に備え、前記ピンクランプは、前記延伸された位置と前記格納された位置とにそれぞれ対応する第１の位置と第２の位置との間で摺動可能であり、前記第１の位置および第２の位置は、前記少なくとも１つのスペーサ上の前記少なくとも１つの停止面によって規定される、請求項３３に記載の光通信コネクタ。
【請求項３８】
停止面を有する少なくとも１つのスペーサを更に備え、前記ピンクランプは、曲げられる際に、前記ピンクランプが前記停止面の下方へ移動することを可能にするタブを備える、請求項３３に記載の光通信コネクタ。
【請求項３９】
前記ピンクランプは、２つのピンクランプを備え、各ピンクランプは少なくとも１つのタブを備え、該タブは前記ピンクランプが当該コネクタ上に位置するスペーサ上の停止面の下方へ移動することを可能にするように曲げられることができる、請求項３３に記載の光通信コネクタ。
【請求項４０】
当該コネクタの極性を変更するために変えられることができる構成を有する極性キーを更に備える、請求項３３に記載の光通信コネクタ。
【請求項４１】
前記極性キーの前記構成は、当該コネクタに対して前記極性キーを回転することによって変えられる、請求項４０に記載の光通信コネクタ。
【請求項４２】
前記極性キーは当該コネクタの外側筺体上に位置し、前記外側筺体は、前記極性の変更をもたらすために当該コネクタの軸長周りに回転されることができる、請求項４０に記載の光通信コネクタ。
【請求項４３】
前記極性キーは、極性キータブと、前記外側筺体上に前記極性キータブの１８０度反対側のブランクタブと、を含み、前記極性キータブおよび前記ブランクタブは、当該コネクタ上の特徴と機械的にインターフェースをとり、前記軸長に対する前記筺体の回転は、前記極性の変更をもたらす、請求項４２に記載の光通信コネクタ。
【請求項４４】
当該コネクタはＭＰＯコネクタである、請求項３３に記載の光通信コネクタ。
【請求項４５】
延伸された位置と格納された位置との間で作動可能である、格納可能な整列ピンを有するフェルールと、
コネクタの極性を変更するために変えられることができる構成を有する極性キーと、を具備した光通信コネクタであって、
前記極性キーは当該コネクタの外側筺体上に位置し、前記外側筺体は、前記極性の変更をもたらすために当該コネクタの軸長周りに回転されることが可能であり、
前記極性キーは、極性キータブと、前記外側筺体上に前記極性キータブの１８０度反対側のブランクタブと、を含み、前記極性キータブおよび前記ブランクタブは、当該コネクタ上の特徴と機械的にインターフェースをとり、前記軸長に対する前記筺体の回転は、前記極性の変更をもたらす、光通信コネクタ。
【請求項４６】
前記延伸された位置と前記格納された位置との間における前記整列ピンの作動は、前記整列ピンに機械的に結合されるピンクランプを用いて果たされる、請求項４５に記載の光通信コネクタ。
【請求項４７】
前記ピンクランプは、前記整列ピンに固定して取り付けられる、請求項４６に記載の光通信コネクタ。
【請求項４８】
前記ピンクランプは機械的リンク機構を通して前記整列ピンに結合されており、前記ピンクランプが変位されると、前記機械的リンク機構は前記整列ピンを前記ピンクランプの変位よりもより大きな変位によって移動させる、請求項４６に記載の光通信コネクタ。
【請求項４９】
前記ピンクランプは、前記延伸された位置と前記格納された位置との間の前記整列ピンの作動をもたらすために、工具によって係合され得る少なくとも１つの特徴を含む、請求項４６に記載の光通信コネクタ。
【請求項５０】
前記ピンクランプは少なくとも１つのタブを含み、前記少なくとも１つの特徴は、前記タブ上に位置する少なくとも１つの孔を備える、請求項４９に記載の光通信コネクタ。
【請求項５１】
前記ピンクランプは、ユーザによる手動係合のための柱部を備える少なくとも１つのタブを含む、請求項４６に記載の光通信コネクタ。
【請求項５２】
少なくとも１つの停止面を有する少なくとも１つのスペーサを更に備え、前記ピンクランプは、前記延伸された位置と前記格納された位置とにそれぞれ対応する第１の位置と第２の位置との間で摺動可能であり、前記第１の位置および第２の位置は、前記少なくとも１つのスペーサ上の前記少なくとも１つの停止面によって規定される、請求項４６に記載の光通信コネクタ。
【請求項５３】
停止面を有する少なくとも１つのスペーサを更に備え、前記ピンクランプは、曲げられる際に、前記ピンクランプが前記停止面の下方へ移動することを可能にするタブを備える、請求項４６に記載の光通信コネクタ。
【請求項５４】
前記ピンクランプは、２つのピンクランプを備え、各ピンクランプは少なくとも１つのタブを備え、該タブは前記ピンクランプが当該コネクタ上に位置するスペーサ上の停止面の下方へ移動することを可能にするように曲げられることができる、請求項４６に記載の光通信コネクタ。
【請求項５５】
当該コネクタはＭＰＯコネクタである、請求項４５に記載の光通信コネクタ。
【請求項５６】
内側筺体アセンブリ内に配置された光ファイバを有する当該内側筺体アセンブリと、
前記内側筺体アセンブリを覆って配置され、前記内側筺体アセンブリから取り外し可能であるように形作られた外側筺体と、を備えた光通信コネクタであって、
前記内側筺体アセンブリは、当該コネクタを別のコネクタと整列させるための整列ピンに機械的に結合される可動ピンクランプを含み、前記ピンクランプは、第１の位置から第２の位置に摺動されることができ、前記第１の位置はオスのジェンダーに対応し、前記第２の位置はメスのジェンダーに対応し、
前記ピンクランプは機械的リンク機構を通して前記整列ピンに結合されており、前記ピンクランプが変位されると、前記機械的リンク機構は前記整列ピンを前記ピンクランプの変位よりも大きな変位によって移動させる、光通信コネクタ。
【請求項５７】
前記ピンクランプは、前記第１の位置と前記第２の位置との間の前記整列ピンの作動をもたらすために、工具によって係合され得る少なくとも１つの特徴を含む、請求項５６に記載の光通信コネクタ。
【請求項５８】
前記内側筺体アセンブリは、前記第１の位置と前記第２の位置との間の長さに前記ピンクランプの動きを制限するための少なくとも２つの停止面を備える、請求項５６に記載の光通信コネクタ。
【請求項５９】
前記少なくとも２つの停止面は、前記内側筺体アセンブリ上の１つ以上のスペーサ上に位置する、請求項５８に記載の光通信コネクタ。
【請求項６０】
前記ピンクランプは、曲げられる際に、前記ピンクランプが前記少なくとも２つの停止面のうちの１つを過ぎて移動することを可能にするタブを備える、請求項５８に記載の光通信コネクタ。
【請求項６１】
前記内側筺体アセンブリは、前記第１の位置および前記第２の位置によって拘束された長さに前記ピンクランプの摺動を抑制するための停止面を有する複数のスペーサを備える、請求項５６に記載の光通信コネクタ。
【請求項６２】
前記ピンクランプは、前記外側筺体が取り外されるときのみに摺動されるように設計される、請求項５６に記載の光通信コネクタ。
【請求項６３】
前記ピンクランプは、前記内側筺体アセンブリの反対側に位置する２つのピンクランプを備え、各ピンクランプは少なくとも１つのタブを備え、該タブは前記ピンクランプが前記内側筺体アセンブリ上に位置するスペーサ上の停止面の下方に移動することを可能にするために曲げられることができる、請求項５６に記載の光通信コネクタ。
【請求項６４】
前記外側筺体は、どのように前記外側筺体が設置されるかに基づいて、当該コネクタの極性が規定されるように構成された極性キーを備える、請求項５６に記載の光通信コネクタ。
【請求項６５】
前記光ファイバおよび整列ピンが通過するフェルールをさらに具備した光通信コネクタであって、
前記第１の位置では、前記整列ピンは、前記フェルールの前面に直交するｚ軸に沿って第１の変位だけ延伸され、
前記第２の位置では、前記整列ピンは、前記フェルールの前記前面に直交する前記ｚ軸回りに沿う前記第１の変位よりも大きいまたは前記第１の変位に等しい距離で、前記フェルールにおける整列ピン空洞に格納され、
前記外側筺体は、極性キータブと、前記極性キータブの反対に位置するブランクタブとを備え、前記極性キータブは、当該コネクタの極性を規定するために当該極性キータブ上に形成された極性キーを有し、前記極性キータブおよび前記ブランクタブは、前記内側筺体アセンブリの反対側に位置するそれぞれの第１および第２の凹んだ特徴に嵌合するように形作られ、前記極性キータブが前記第２の凹んだ特徴に嵌合するようにかつ前記ブランクキータブが前記第１の凹んだ特徴に嵌合するように、当該コネクタの前記極性は、前記ｚ軸周りに前記外側筺体を回転することによって変更されることができる、請求項５６に記載の光通信コネクタ。
【請求項６６】
前記第１および第２の凹んだ特徴は、前記外側筺体が前記内側筺体アセンブリ上に設置される際に、前記外側筺体の前記極性キータブおよび前記ブランクタブが前記ｚ軸沿いにガイド部に沿って摺動され得る、当該ガイド部を含む、請求項６５に記載の光通信コネクタ。
【請求項６７】
前記極性キータブおよび前記ブランクタブは、当該極性キータブおよび当該ブランクタブの中心から外側に広がる平面突出部をそれぞれ有し、前記内側筺体アセンブリの前記凹んだ特徴は突出部保持部をそれぞれ有する、請求項６６に記載の光通信コネクタ。
【請求項６８】
前記外側筺体を前記内側筺体アセンブリに固定するための掛止め機構を更に備える、請求項６６に記載の光通信コネクタ。
【請求項６９】
当該コネクタはＭＰＯコネクタである、請求項５６に記載の光通信コネクタ。